(57)【要約】【課題】  開封前に物品を密閉状態で収納できるだけでなく、開封後においても継続的に使用する物品を密閉状態で衛生的に収納し得るブリスター容器を提供する。【解決手段】  本発明のブリスター容器１は、上ブリスター２１及び下ブリスター２２がそれぞれの対向面で互いに接合されることにより物品の収納部を形成し、物品を該収納部に収納する。上、下２ブリスター２１、２２の接合は、ブリスター容器１の開封時には解除される。両面に接着層を有する両面接着シートやメカニカルファスナー等が上記ブリスター同士の接合手段として使用でき、凹部と凸部との嵌合方式が上記ブリスター同士の係合手段として使用できる。【選択図】    図１
2005145496.tif 000002
【特許請求の範囲】
【請求項１】
第１ブリスターと第２ブリスターとを有するブリスター容器であって、
前記第１ブリスターと前記第２ブリスターとの間には、それらの対向面を接合させるための接合手段が介在し、且つ前記第１、第２ブリスターに、該ブリスター同士を係合させる係合手段が設けられているブリスター容器。
【請求項２】
前記接合手段が、両面接着シートである請求項１記載のブリスター容器。
【請求項３】
前記係合手段が、凹部と凸部の嵌合によるものである請求項１又は２記載のブリスター容器。
【請求項４】
前記両面接着シートの一面に形成された第１接着層と前記第１ブリスター又は第２ブリスター間の接着強度と、前記両面接着シートの他面に形成された第２接着層と前記第１ブリスターと第２ブリスターのうち前記第１接着層とは接していないブリスターとの接着強度に差がある請求項１〜３の何れかに記載のブリスター容器。
【請求項５】
前記第１のブリスターと前記第２ブリスターは、それぞれの端縁部分で一体的に連結され、前記係合手段は該端縁部分と対向する端縁部分に設けられている請求項１〜４の何れかに記載のブリスター容器。
【発明の詳細な説明】
【技術分野】
【０００１】
本発明は、ブリスター容器に関し、特に、物品の再収納に適したブリスター容器に関する。
【背景技術】
【０００２】
従来より、透明な樹脂からなるブリスターを台紙に接着したブリスター容器が知られている。この種のブリスター容器においては、物品を取り出す際、台紙を該ブリスターから剥がしたり、該台紙に形成されたミシン目に沿って該台紙を破るので、該ブリスター容器は、開封後には物品の収納容器としての機能を失う。
そこで、開封後も物品を再収納するために、図５に示すような形態のブリスター容器１００が提案されている。このタイプのブリスター容器１００は、フランジ付きのブリスタードーム１０１と、開口部が形成された台紙１０２と、舌片１０４ａを有する蓋１０４ｂがミシン目で形成された裏台紙１０４とからなる（特許文献１参照）。
【０００３】
このブリスター容器１００においては、ブリスタードーム１０１を台紙１０２の開口部から露出させた状態で台紙１０２に通し、この台紙１０２を裏台紙１０４に接着することにより、ブリスター１０１と裏台紙１０４との間に形成された空間部分に物品Ｐを収納している。そして、裏台紙１０４に開口部の形状に沿ってミシン目で形成された蓋１０４ｂ（ただし、ミシン目がない部分もあるのでミシン目を破ってもこの蓋が裏台紙から簡単には切り離されることはない）を切り起こしてブリスタードーム１０１中の物品Ｐを取り出した後、再び物品Ｐを該ブリスタードーム１０１に収納する場合には、台紙１０２に通したブリスタードーム１０１内に物品Ｐを入れ、その台紙１０２と裏台紙１０４を合わせてから、この蓋１０４ｂの一部に形成された舌片１０４ａを折り曲げてそれをブリスタードーム１０１の一部に形成されたスリット（差し込み孔）に差し込むようにしている。
【０００４】
一方、図６に示すように、台紙や接着剤を用いない開閉式のブリスター容器１０５も知られている。このタイプのブリスター容器１０５は、食品のような物品を収容するもので物品収納部１０７を有する上ブリスター１０６と、これを覆う下ブリスター１０８とが、それぞれの一端縁１０９を折り目にして一体化されている。このようなブリスター容器１０５では、上ブリスター１０６と下ブリスター１０８の対向部に設けられた凹凸嵌合部１１０により上、下ブリスターが結合するようになっている。
【特許文献１】特開２００１―２１３４７５号公報
【発明の開示】
【発明が解決しようとする課題】
【０００５】
ところで、ブリスター容器に入れられた歯ブラシやデンタルフロス等の物品は、通常、ブリスター容器から取り出された後も、継続的に使用されたり、一度に使い切らずに少量ずつある期間に亘って使用されるものである。このように継続的に使用される物品は、ブリスター容器の開封前のみならず、開封後においても、それらを該ブリスター容器内に衛生的に収納することが望まれている。
【０００６】
しかしながら、図５に示した従来技術（上記特許文献１）のような台紙タイプのブリスター容器１００や、図６に示した従来の嵌合タイプのブリスター容器１０５では、ブリスター容器の開封前も開封後も、物品を密閉状態で収納することができず、特に、前者は、台紙１０２、１０４が水等で濡れた場合には収納容器としての機能を失うおそれがある。
仮に、上記嵌合タイプのブリスター容器１０５において、嵌合部に替えて上、下ブリスターに熱圧着による全周シールを施したとしても、ブリスター容器の開封前は、密閉状態を実現できるものの、開封時にシール部分が破壊し、該ブリスター容器は、開封後は物品を再収納する容器として使用できない。
【０００７】
従って、本発明の目的は、開封前に物品を密閉状態あるいは略密閉状態で収納できるだけでなく、開封後においても継続的に使用する物品を衛生的に収納し得るブリスター容器を提供することにある。
【課題を解決するための手段】
【０００８】
本発明は、第１ブリスターと第２ブリスターとを有するブリスター容器であって、前記第１ブリスターと前記第２ブリスターとの間には、それらの対向面を接合させるための接合手段が介在し、且つ前記第１、第２ブリスターに、該ブリスター同士を係合させる係合手段が設けられているブリスター容器を提供することにより上記目的を達成したものである。
【０００９】
本願発明の「接合手段」とは、上、下ブリスターの対向面をある範囲に亘って繋ぎ止め、且つ通常の力でその繋ぎ止めを解除し、且つ再度の繋ぎ止めができるような手段を意味する。たとえば、前記対向部分に接着剤を塗布すること、前記対向部分に両面接着テープを介在させること、前記対向部分にメカニカルファスナーを配置すること、等がこれに該当する。該接合手段の主たる目的は、上、下ブリスターの対向面の全周あるいは略全周に亘ってそれらを密着状態あるいは略密着状態にすることにある。ブリスター容器の密閉性を重要視する場合には、両面接着テープが好適に使用できるが、密閉性を多少甘くしたい場合は（たとえば、使用後の水に濡れた歯ブラシを多少は密閉性を甘くしたブリスター容器に収納して、該歯ブラシの乾燥を促進したい場合等）、メカニカルファスナーが好適に使用できる。
なお「接着剤」とは、上記の説明から明らかなように、上、下ブリスターを通常の力で引き離すことができない程に強固に両者を接着させる剤を意図しない。また、上、下ブリスターを引き離すときに、いわゆる液垂れが生じたり、粘ついて糸を引くようなような剤も意図しない。
【００１０】
本願発明の「係合手段」とは、上、下ブリスターの対向面を部分的に繋ぎ止め、且つ通常の力でその繋ぎ止めを解除し、且つ再度の繋ぎ止めができる手段を意味する。たとえば、一方のブリスターに凹部を設け、他方には凸部を設けて該凹部と凸部を嵌合すること、両方のブリスターに複数の微細な凸部を設け、一方のブリスターの凸部と凸部間に他方のブリスターの凸部を挟み込むこと、両方のブリスターにメカニカルファスナー（前述のように、メカニカルファスナーは接合手段としても使用できるが）を設けて該ファスナーを絡み合わせること等、がこれに該当する。該係合手段の主たる目的は、上、下ブリスターを繋ぎ止めることで、ブリスター容器が不用意に開かないようにすることにある。
【００１１】
接合手段に両面接着シートを用いる場合は、両面接着シートの一方の接着層は第１ブリスター又は第２ブリスターの何れかに接着し、他方の接着層は一方の接着層と接着していない方のブリスターと接着するが、これら２つの接着力には差があった方がよい。差を設けることにより、ブリスター容器を開封するときに両面接着テープは第１ブリスターか第２ブリスターの何れか一方に確実に残ることになる。すなわち、より接着力の強い方のブリスターに残る。もし接着力を同程度にしたならば、両面接着テープのある部分は第１のブリスターに付着し、その他の部分は第２のブリスターに付着した状態でブリスター容器が開封されることも考えられる。
【００１２】
本願発明のブリスター容器は、第１ブリスターと第２ブリスターはそれぞれの端縁部で一体的に連結された構造でも、一体的に連結されていない構造でもよい。一体的に連結されているというのは、第１のブリスターと第２のブリスターが通常の力では分離できないという意味であり、たとえばそれらが一体成形されているとか、別々に成形されて熱融着されている状態等、がこれに該当する。
【発明の効果】
【００１３】
本発明のブリスター容器によれば、開封前に物品を密閉状態で収納できるだけでなく、開封後においても物品を開封前の密閉状態に近い状態で収納でき、特に、継続的に使用するような物品を衛生的に収納することができる。
【発明を実施するための最良の形態】
【００１４】
以下、本発明のブリスター容器の最も好ましい一実施形態を詳細に説明する。
図１及び図２に示すように、本実施形態のブリスター容器１は、上ブリスター（第１ブリスター）２１及び下ブリスター（第２ブリスター）２２は、それらの間に介在する両面接着シート３の接着層で密着し、且つそれぞれのブリスターに形成された凹部２１ｂと凸部２２ｂの嵌合によって係合されている。上、下ブリスターが合わさって形成される空間に物品が収納される。ブリスター容器の開封時には、嵌合が解除されると共に、上、下ブリスターの一方が接着層から離れる。
以下、かかるブリスター容器を詳細に述べる。なお、本実施形態では、「上」及び「下」とは、便宜上、図１におけるブリスター容器１の位置を示したものである。同様に、ブリスター容器１の位置を、「左」及び「右」で示す場合がある。
【００１５】
図１又は図２に示すように、本願発明のブリスター容器の構成要素である上、下ブリスター２１、２２は、透明な樹脂からなり、それらの外周部分には、接合部２ａが形成され、外周を除く部分には、物品を収納する空間（収納部２ｃ）が形成されている。
上、下ブリスター２１、２２は、それぞれの左端縁部分で一体的に連結されて（上、下ブリスターが一体成形されて）折り曲げられ（連結部２ｄ）、連結部２ｄを回転軸として開閉するようになっている。
【００１６】
上ブリスター２１は、その外周部分を除いた部分が膨出した四角柱状（立体的突状）であり、その部分が上収納部２１ｃになっており、上記外周部分が上接合部２１ａになっている。下ブリスター２２も、上ブリスター２１と同様に、下収納部２２ｃと下接合部２２ａとからなるが、ブリスター容器の下収納部２２ｃと上収納部２１ｃの容積は収納される物品の大きさや形状に応じて適宜設定することができる。
【００１７】
上、下ブリスター２１、２２の外周部分には、これらのブリスターを係合させるための凹凸嵌合部２ｂが形成されている。この凹凸嵌合部２ｂは、上ブリスター２１に形成された円筒状の凹部２１ｂと、下ブリスター２２に形成された円筒状の凸部２２ｂとからなっている。
上、下ブリスター２１、２２を開閉する観点から、該凹凸嵌合部２ｂは、前記の連結部２ｄと対向する側にあるそれぞれの外周部に形成されている。
【００１８】
図２又は図３に示すように、上、下ブリスター２１、２２のそれぞれの接合面２１ａ、２２ａの間には、両面接着シート３が介在している。この両面接着シート３は、基材シート３１と、基材シート３１の上面に形成された第１接着層３２と、基材シート３１の下面に形成された第２接着層３３とからなる。
基材シート３１は、シート状物であれば、その材料について特に限定されないが、パルプごみの発生防止やブリスター容器の耐水性を重要視するのであれば、基材シート３１に防湿性に優れた樹脂フィルムを用いることができる。
【００１９】
第１、第２接着層３２、３３は、それぞれ、第１、第２接着剤からなり、これらの層厚さが５０〜５００μｍであることが好ましい。
接着層に使用される接着剤としては、例えば、ポリエチレンやポリエチレンテレフタレート等の低融点樹脂、糊、油性及び水生ワニス、アクリル系接着剤、ゴム系接着剤、シリコーン系接着剤、ビニルエーテル系接着剤、ウレタン系接着剤等を特に制限なく用いることができ、上、下ブリスターとの所望の接着性が得られる剤を選択すればよい。
【００２０】
本実施形態の場合、第１接着層３２と上ブリスター間の接着強度は、第２接着層３３と下ブリスター間の接着強度より小さく設定されている。これにより、ブリスター容器１の開閉時には、両面接着テープは確実に下ブリスター側に残る。このように、接着強度差を設ける観点から、接着手段としては、上下ブリスター間に両面接着テープ介在させるのがよい。
【００２１】
第１接着層と第２接着層が有するそれぞれの接着強度に差をつけるには、例えば、接着剤の選択（上、下ブリスターがポリエチレンテレフタレート（ＰＥＴ）の場合、第１、第２接着層を構成する接着剤として、ＰＥＴとより接着強度の大きい接着剤と接着強度の小さい接着剤を選択する等）、接着剤の塗布面積や塗布厚に差を設けること、同一の接着剤を使用し、第１接着層と上ブリスターの接触面積と第２接着層と下ブリスターの接触面積に差を設ける、等が挙げられる。
【００２２】
両面接着シート３は、ブリスター容器１の密閉性を高める観点から、その接合部２ａにおいて、凹凸嵌合部２ｂの部分を除いた全周領域に亘って配置されている。
【００２３】
次に、本実施形態のブリスター容器１の使用態様等を説明する。
ブリスター容器１に収納される物品は、特に限定されないが、上述した構成との関係から、歯ブラシやデンタルフロス等のように開封後も継続的に使用される物品に対して本発明のブリスター容器の利点がより発揮される。
ブリスター容器１は、開封前において、上、下ブリスター２１、２２が凹凸嵌合部２ｂで係合し、それぞれの接合面２１ａ、２２ａが両面接着シート３を介し密着しているので、密閉状態で物品を収納している。
【００２４】
ブリスター容器１を開封するときは、上ブリスター２１と下ブリスター２２を分離させる。この場合、両面接着シート３の第１接着層３２と上ブリスター２１との接着強度は第２接着層３３と下ブリスターとの接着強度より小さいため、ブリスター容器１を開封したときには両面接着シート３は、確実に下ブリスター側に残る。すなわち、両面接着シート３の一部が下ブリスター側に残り、一部が上ブリスター側に付着した状態でブリスター容器１が開封される恐れはない。
その後、物品をブリスター容器１に再度収納する場合には、下ブリスター２２の下収容部２２ｃに物品を収納して上ブリスター２１を閉じる。この場合、上ブリスター２１の接合面２１ａが両面接着シート３の第１接着層３２と接着すると共に、上、下ブリスター２１、２２が凹凸嵌合部２ｂで係合するため、ブリスター容器１は、略初期の密閉状態で物品を収納する。
【００２５】
以上述べたように、本実施形態によれば、上、下ブリスター２１、２２の接合部２ａに凹凸嵌合部２ｂを設けると共に、この接合部の間に、両面に接着層を有する両面接着シート３を介在させたので、ブリスター容器１の開封前に密閉状態で物品を収納できるだけでなく、開封後においても略初期の密閉状態で物品を収納することができる。
【００２６】
また、本実施形態によれば、両面接着シート３の第１接着層３２と上ブリスター２１の接着強度を、第２接着層３３と下ブリスター２２との接着強度より小さく設定したので、上、下ブリスター２１、２２を分離してブリスター容器１を開封する際、両面接着シート３を確実に下ブリスター２２に残すことができる。
【００２７】
さらに、本実施形態では、両面接着シート３の基材シート３１を紙質でなく樹脂フィルムにすれば、パルプごみが発生せず、より耐水性に優れたブリスター容器となる。また、基材シート３１をリサイクル可能なフィルムにすれば、ブリスター容器１からのごみ量の削減ができ、基材シート３を生分解性のフィルムにすると、より環境に優しいブリスター容器となる。
【００２８】
本発明は、上記実施形態に限られることなく、種々の変更等を行うことができる。
例えば、図４に示すように、下ブリスター２２にのみ下収容部２２ｃを形成し、上ブリスター２１を上蓋として機能させてもよく、また、図示しないが、上ブリスターにのみ上収容部を形成し、下ブリスターを下蓋として機能させてもよい。
【００２９】
上記凹凸嵌合部は第１及び第２ブリスターの少なくとも、両端縁部分（例えば左端縁部分及び右端縁部分）に形成すればよい。また、凹部と凸部は第１と第２の何れのブリスターに形成してもよい。もちろん、一方のブリスターに凹部を形成すれば、他方には凸部を形成する。
本発明のブリスター容器では、ブリスター容器の密閉性を高める観点からは、両面接着シートを、前記の凹凸嵌合部を除く第１及び第２ブリスターの対向面全周部分に介在させることが好ましい。
【００３０】
上、下ブリスターの係合状態をより良好にする観点から、前記の凹凸嵌合部は、上、下ブリスターが一体的に連結されたブリスター容器に場合は、連結部が存在する第１及び第２ブリスターの対向面以外の面に形成されるのが好ましい。
【００３１】
また、ブリスター容器の物品収納部内を物品の大きさ・形状に合わせて区分けしてそれぞれの物品を仕分収納してもよい。
【図面の簡単な説明】
【００３２】
【図１】本実施形態のブリスター容器の概略構成を示す斜視図である。
【図２】本実施形態のブリスター容器を図１の切断線Ａ−Ａに沿って示す側方断面図である。
【図３】図２のブリスター容器の接合部分を拡大して示す図である。
【図４】本実施形態のブリスター容器の変形例を示す側方断面図である。
【図５】従来のブリスター容器（台紙タイプ）の概略構成を示す斜視図である。
【図６】従来のブリスター容器（嵌合タイプ）の概略構成を示す斜視図である。
【符号の説明】
【００３３】
２ｂ            凹凸嵌合部
２ｄ            連結部
２１            上ブリスター（第１ブリスター）
２１ａ          接合部
２１ｂ          凹部
２２            下ブリスター（第２ブリスター）
２２ａ          接合部
２２ｂ          凸部
３            両面接着シート
【図１】
2005145496.tif 000003
【図２】
2005145496.tif 000004
【図３】
2005145496.tif 000005
【図４】
2005145496.tif 000006
【図５】
2005145496.tif 000007
【図６】
2005145496.tif 000008